(57)【特許請求の範囲】
【請求項１】
左右の竪枠及び上下枠を有する単位間仕切りパネルの少なくとも下部左右の竪枠間に引戸によって開閉される通路開口部を設け、その前記引戸は、前記下枠上面のレール部上を移動して開閉する間仕切りパネルの構造において、
前記下枠は、天然木又は集成材などの木質材、又は該木質材に樹脂を含浸させてなる樹脂強化材、又は木質心材の少なくとも上部に天然木又は集成材などの木質材に樹脂を含浸させてなる樹脂強化材を一体に設けた樹脂強化複合材により形成され、前記左右の竪枠の少なくともいずれか一方の下面と前記下枠の下面には、該両下面間に連続して補強プレートが添設され、該補強プレートと前記竪枠の下面部分及び下枠の下面部分とが夫々第１の固定具により結合固定されているとともに、前記左右の竪枠の下部と該下部の内側面に接する前記下枠の端部とは、第２の固定具により結合されていることを特徴とする間仕切りパネルの構造。
【請求項２】
前記補強プレートは、断面略コ形に形成され、少なくとも前記下枠の下面と前後面に嵌合して設けられていることを特徴とする請求項１に記載の間仕切りパネルの構造。
【請求項３】
前記下枠の端部と接する前記左右の竪枠の下部の内側面内にはナットが埋め込まれて設けられ、該ナットには前記第２の固定具を構成するボルトの先端が螺挿されていることを特徴とする請求項１又は２に記載の間仕切りパネルの構造。
【請求項４】
前記下枠上面のレール部にはレール方向に沿って連続する凹溝が形成され、該凹溝には、金属又は木質材に樹脂を含浸させてなる樹脂強化材により形成されたレール材が嵌合状に設けられていることを特徴とする請求項１、２又は３に記載の間仕切りパネルの構造。
【請求項５】
前記単位間仕切りパネルを構成する左右の竪枠、上枠又は中間横枠の少なくとも一部は木質材により形成されていることを特徴とする請求項１、２、３又は４に記載の間仕切りパネルの構造。
【発明の詳細な説明】
【０００１】
【発明の属する技術分野】
本発明は、主として、学校校舎、病院などの広い床面積を持つ建物空間を、目的に合わせて間仕切りする際に用いられる間仕切りパネルの構造、特に間仕切りパネル内の下枠の上部に引戸により開閉される通路開口部を設けた間仕切りパネルの構造に関するものである。
【０００２】
【従来の技術】
従来、上記のような間仕切りパネルとして用いられる現場施工の木製間仕切りパネルでは、その下枠には木製の下枠が用いられているが、下枠が引戸のレール枠を兼用し、かつ下枠上を人やワゴン車が通過する特質から、耐磨耗性や耐湿性に問題があった。
また、従来の工場組立式間仕切りパネル、例えば、実公平６−３４４８８号公報に所載のような、金属枠と木製枠との複合構造になる間仕切りパネルでは、金属製の下枠を用い、搬出入時の変形を防ぎ且つ耐久性を向上させている。
図１６は、このような間仕切りパネルの金属製下枠の施工状態を示す断面図である。
【０００３】
【発明が解決しようとする課題】
しかしながら、上記図１６に示す間仕切りパネルの金属製下枠１０３の構造では、間仕切りパネルの枠体（上枠、左右の竪枠、中間横枠）などの少なくとも一部に木質材を使用した場合、あるいは床面に木質材をもちいて木製床仕上げとした場合に、金属と木質材との質感の違いによる違和感を生じる。さらに、金属製下枠１０３の構造では、該下枠１０３の変形を抑え且つその上をワゴン車などの物体が通過接触した時に発する金属音の発生を防ぐ為に、該下枠１０３内部にモルタル１１０を充填する必要があり、また、下枠１０３の上面に長手方向に形成したレール凹部内に金属レール１１１を嵌合する必要があるなど工数と重量が増加し施工に手間がかかっていた。
【０００４】
本発明は、上記事情に基づいてなされたもので、間仕切りパネル内の下枠の上部に引戸により開閉される通路開口部を設けた間仕切りパネルの構造において、上記下枠の外観が、間仕切りパネルの木質外観面又は木質外観床面との間に違和感がなく、しかも上記下枠を下レール枠として用いた場合でも十分な耐久性があり、しかも竪枠との間の結合が容易且つ強固である間仕切りパネルの構造を提供することも目的としている。
【０００５】
【課題を解決するための手段】
このため、本発明の間仕切りパネルの構造では、図１、２に示す実施の形態でも明らかにしたように、左右の竪枠１、１及び上下枠２、３を有する単位間仕切りパネル１００の少なくとも下部左右の竪枠１、１間に引戸６によって開閉される通路開口部Ｔを設け、その前記引戸６は、前記下枠３上面のレール部上を移動して開閉する間仕切りパネルの構造において、前記下枠３は、天然木又は集成材などの木質材、又はこのような木質材に樹脂を含浸させてなる樹脂強化材、又は木質心材の少なくとも上部に天然木又は集成材などの木質材に樹脂を含浸させてなる樹脂強化材を一体に設けた樹脂強化複合材により形成されている。
【０００６】
この単位間仕切りパネル１００の枠部（左右の竪枠１、１、上枠２又は中間横枠４）は、木質材により形成され、又は少なくとも該枠部の内外の表面は、木質材により形成されて木質外観を有している。また、この単位間仕切りパネル１００が設置される建造物の床面（ＦＬ）には、木質材が用いられて木製床仕上げとされている。
【０００７】
尚、下枠３を天然木又は集成材などの木質材により形成した時には、図３に示すように、下枠３上面のレール部にレール方向に沿って連続する凹溝３Ａを形成し、この凹溝３Ａ内に比較的硬質のレール材１３を嵌合状に設けることが望ましい。このレール材１３は、天然木又は集成材などの木質材に樹脂を含浸させてなる樹脂強化材により形成させることが外観性の点で望ましい。レール材１３を金属材により形成させることも可能である。
【０００８】
また、図４に示すように、竪枠１の下部は下枠３の端面に当接されることにより、竪枠１と下枠３の下面は連続状とされ、両下面間に連続して、金属板等の補強プレート１４が添設され、この補強プレート１４と、竪枠１並びに下枠３の下面部分は、補強プレート１４の下面側から螺挿されるタッピンネジ又は木ねじ等からなる第１の固定具１５によりそれぞれ結合固定されている。さらに、竪枠１の下部と該下部の内側面に接する下枠３の端部とは、第２の固定具１６により結合されている。実施の形態では、第２の固定具１６は、竪枠１の外側より挿入されるボルト１６Ａにより形成され、該ボルト１６Ａの先端が下枠３の端部に埋め込まれたナット１６Ｂに螺挿されている。ナット１６Ｂは鬼目ナットにより形成されている。下枠３に樹脂強化材を用いた場合、上記第２の固定具１６を構成する鬼目ナット等は、樹脂強化材以外の木製部分或いは打ち込み易い部分に打ち込む。
【０００９】
上記の構成によれば、上記下枠３は、木質外観を呈しているところから、単位間仕切りパネル１００の内外枠部及び床面の木質外観との違和感がない。しかも、下枠３自体、或いは、下枠３が木質材により形成されているときにはレール材１３が樹脂の含浸により十分強化されているところから、通路開口部Ｔの下レール枠として十分な耐久性があり、引戸の開閉やワゴン車などの通行時にも騒音が生じない。
【００１０】
さらに、下枠３と竪枠１とは、その下面に補強プレート１４が添設されて位置決め固定されている。この補強プレート１４は、下枠３が、天然木又は集成材などの木質材、又はこのような木質材に樹脂を含浸させてなる樹脂強化材、又は木質心材の少なくとも上部に天然木又は集成材などの木質材に樹脂を含浸させてなる樹脂強化材により形成されているところから、第１及び第２の固定具１５、１６として木ねじやタッピンネジ等のネジ具を用いて、容易に位置決め固定される。
【００１１】
【発明の実施の形態】
図１及び図２は、本発明にかかる単位間仕切りパネル１００の第１の実施の形態を示す正面図と拡大縦断面図である。このような単位間仕切りパネル１００を連結して、学校や病院などの建造物の床面（ＦＬ）を区画している。床面（ＦＬ）は、木材の使用による木製床仕上げにより木質外観とされている。
【００１２】
しかして、上記単位間仕切りパネル１００は、左右の竪枠１、１及び上下枠２、３及び中間上部の横枠４により矩形に形成された枠部を有している。この単位間仕切りパネル１００の横枠４の下部の左右の竪枠１、１間は、引戸６によって開閉される通路開口部Ｔとされ、引戸６は下レール枠としての上記下枠３上を左右に移動して開閉される。また、上記横枠４の上部の左右の竪枠１、１間は、ガラス障子５によって開閉される窓開口部Ｍとされている。下枠３の上面には、左右方向にＶ溝よりなるレール溝７が形成され、対向する横枠４の下面の凹部には略ヨ形の金属枠よりなるレール枠８が嵌合して設けられ、レール枠８とレール溝７を引戸６が移動して開閉される。引戸６の下面にはレール溝７を転動する戸車９が設けられている。引戸６は、１枚ものの片引戸でもよいし、複数枚の引き違い戸あるいは引き分け戸などでもよい。また、横枠４の上面の溝部には断面略Ｍ形の金属棒状のレール材１０が埋め込み状に設けられ、対向する上枠２の下面の凹部には略ヨ形の金属枠よりなるレール枠１１が嵌合して設けられ、レール枠１１とレール材１０をガラス障子５が移動して開閉される。ガラス障子５の下部にはレール材１０を転動する戸車１２が設けられている。上記レール材１０を木質材に樹脂を含浸させた樹脂強化材により形成させることもできる。
【００１３】
上記下枠３は、断面角形中実の角材であり、天然木又は集成材などの木質材に樹脂を含浸させてなる樹脂強化材が使用される。この下枠３として用いる樹脂強化材は、木質心材の表面特に上部に樹脂を含浸させ、心部は通常の木質とした樹脂強化材であってもよい。また、下枠３として、木質心材の表面特に上部に、上記天然木又は集成材などの木質材に樹脂を含浸させてなる樹脂強化材を一体に貼り合わせた樹脂強化複合材を用いてもよい。
【００１４】
また、単位間仕切りパネル１００の上記下枠３以外の枠部（左右の竪枠１、１及び上枠２及び横枠４）には、天然木又は集成材による木質材の角材を使用する。上記各枠部には、集成材や天然木の他、樹脂含浸材、あるいは、表面に化粧用の天然木板を貼着した木材を使用することができる。
【００１５】
このような単位間仕切りパネル１００を、建造物の床面（ＦＬ）に設置する時には、下枠３の中間部の大部分及び下部が木質床面（ＦＬ）の内部に位置するように、すなわち下枠３の上面のみが通路開口部Ｔの床面（ＦＬ）からやや表出されるように設置する。
【００１６】
このような設置構造では、人やワゴン車などが通路開口部Ｔを出入りする時に、中実で樹脂強化構造の下レール枠としての下枠３上を通過し、騒音を発したり下枠３が損傷したりすることがない。また、下枠３が上記通行の邪魔になることもない。さらに、下レール枠としての下枠３の表面が、木質化粧面とされていることから、床面等と同質の木質を使用すれば特に、木質外観床面や間仕切りパネルの木質外観枠部との違和感がなく、意匠性が向上する。
【００１７】
上記第１の実施の形態では、下枠３と竪枠１とは、補強プレート１４（図４参照）を介して位置決め固定されるが、その構成と作用は、後述する第２及び第３の実施の形態と同様である。
【００１８】
図３乃至図７は、本発明にかかる単位間仕切りパネル１００の第２の実施の形態を示す拡大縦断面図及び下枠と竪枠の接合部の拡大図である。
【００１９】
第２の実施の形態では、下枠３を天然木又は集成材などの木質材により形成し、図３に示すように、下枠３上面のレール部にレール方向に沿って連続する凹溝３Ａを形成し、この凹溝３Ａ内に比較的硬質のレール材１３を嵌合状に設けている。このレール材１３は、天然木又は集成材などの木質材に樹脂を含浸させてなる樹脂強化材により形成させることが外観性の点で望ましい。レール材１３を金属材により形成させることも可能である。
【００２０】
また、図４に示すように、竪枠１の下部は下枠３の端面に当接されることにより、竪枠１と下枠３の下面は連続状とされ、両下面間に連続して、金属板等の補強プレート１４が添設され、この補強プレート１４と、竪枠１並びに下枠３の下面部分は、補強プレート１４の下面側から螺挿されるタッピンネジ又は木ねじ等からなる第１の固定具１５によりそれぞれ結合固定されている。竪枠１の内壁面は断面略凹形状とされ、その下部に端部が当接する下枠３の端部は凸形状とされ、互いに凹凸嵌合により接合されている。補強プレート１４と竪枠１とは複数個、図では４個の第１の固定具１５により、また、補強プレート１４と下枠３とは複数個、図では４個の第１の固定具１５により、それぞれ、結合されている。
【００２１】
さらに、竪枠１の下部と該下部の内側面に接する下枠３の端部とは、第２の固定具１６により結合されている。実施の形態では、第２の固定具１６は、竪枠１の外側より挿入されるボルト１６Ａにより形成され、該ボルト１６Ａの先端が下枠３の端部に埋め込まれたナット１６Ｂに螺挿されている。ナット１６Ｂは鬼目ナットにより形成されている。
【００２２】
図８乃至図１５は、本発明にかかる単位間仕切りパネルの第３の実施の形態を示す下枠と竪枠の接合部の拡大図及び下枠のジョイント部の図である。
【００２３】
第３の実施の形態では、補強プレート１１４の形状が上記第２の実施の形態とは、相違している。
この補強プレート１１４は、少なくとも下枠３に接する部分が断面略コ形に形成され、少なくとも下枠の下面と前後面に嵌合して設けられており、竪枠１に接する部分は平板状に形成されている。
【００２４】
このように、補強プレート１１４を断面略コ形に形成することにより、下枠３への位置決め取り付けが正確で強固となる。
【００２５】
また、第３の実施の形態において、下枠３は、分割され、該分割部がジョイントプレート１７によって結合されている。また、下枠３の中間部には溶接用プレート１８が固定して設けられている。ジョイントプレート１７と溶接用プレート１８は、タッピンネジ又は木ねじ等よりなる第３の固定具１９により下枠３に結合されている。また、補強プレート１１４、ジョイントプレート１７及び溶接用プレート１８は、その底部に突片１１４Ａ，１７Ａ，１８Ａが突設され、該金属製突片を介して、図１２に示すように床下のコンクリート土台２０中の鉄筋２１に溶接固定されている。コンクリート土台２０は、木質の床２２によって覆われている。補強プレート１１４、ジョイントプレート１７及び溶接用プレート１８は、断面略コ形をなし、下枠３の下面及び前後面に嵌合する金属板により形成しているが、平板により形成することができる。また、上記補強プレート１１４及びジョイントプレート１７は、溶接用でなくてもよく、プラスチック板或いは木製などにより形成し、金属製である必要はない。上記補強プレート１１４、ジョイントプレート１７及び固定具等は、通常は、床内に埋め込まれて見えないが、床上に表出されて見えていてもよい。
【００２６】
下枠３の分割部は、図１０に示すように、分割端面を平坦面としてもよいが、図１３及び図１５に示すように、互いに凹凸嵌合するように凹凸面としてもよい。
【００２７】
尚、本発明の実施の形態において、図１では、通路開口部Ｔが２枚の引戸により開閉される構造を示したが、３枚、４枚、それ以上の枚数の引戸により開閉される構造としてもさしつかえない。このように、多数枚の引戸により通路開口部Ｔを開閉させる構造では、上記下枠３をジョイントプレート１７を用いて連結させる構造が下枠３を延長させるために有効である。また、本発明の実施の形態において、レール材１３は、下枠３のレール方向の全幅に設けたが、下枠端部の戸車９が移動しない範囲には、レール材１３は、なくてもよい。レール材１３を下枠３のレール方向の全幅に設けるために、凹溝３Ａを下枠３の全幅に設ける方が、加工が容易である。途中迄であると、境目を見栄え良く加工する為に、のみ等の手工具を用いて手間のかかる細工をする必要がある。また、凹溝３Ａを下枠３の全幅に設けた場合、レール材１３を凹溝３Ａの全幅に埋めて設けた方が見栄えが良く、レール材が無い箇所についてゴミ詰まりの際の対策やゴミ詰まり防止の為の充填処理等が不要になる利点がある。
【００２８】
さらに、本発明に係る間仕切り全体が、例えば上吊り式とされて可動式であってもよく、その場合は上記下枠３及びその部品は床内に埋め込まれることはない。
【００２９】
【発明の効果】
本発明は、以上詳述したようになり、単位間仕切りパネル１００の下部に形成される通路開口部Ｔの下レール枠としての下枠３が木質外観を呈しているところから、単位間仕切りパネル１００の枠部表面及び床面の木質外観との違和感がない。また、下枠と竪枠との結合も補強プレートを用いて正確且つ強固に結合できる。
【００３０】
しかも、下枠を樹脂の含浸により十分強化された中実の構造とすることにより、通路開口部Ｔの下レール枠として十分な耐久性があり、引戸の開閉やワゴン車などの通行時にも騒音が生じない。
【００３１】
さらに、下枠を木質材により形成し、レール部を樹脂含浸による強化レール材により形成すれば、木質外観の間仕切りパネル及び床面との取り合わせが良く、しかも、通路開口部Ｔの下レール枠として十分な耐久性があり、引戸の開閉やワゴン車などの通行時にも騒音が生じないばかりか、竪枠との結合や、下枠を連結して用いる場合、その結合に木ねじやタッピンネジを用いることができ、その結合が容易である。
【図面の簡単な説明】
【図１】本発明の第１の実施の形態としての単位間仕切りパネルの正面図である。
【図２】同じく、縦断側面図である。
【図３】本発明の第２の実施の形態としての単位間仕切りパネルの縦断側面図である。
【図４】同じく、下枠と竪枠との接合部の拡大正面図である。
【図５】同じく、下枠と竪枠との接合部の拡大平面図である。
【図６】同じく、下枠と竪枠との接合部の拡大底面図である。
【図７】同じく、下枠と竪枠との接合部の拡大側面図である。
【図８】本発明の第３の実施の形態としての単位間仕切りパネルの下部の拡大正面図である。
【図９】同じく、拡大平面図である。
【図１０】同じく、拡大底面図である。
【図１１】同じく、拡大側面図である。
【図１２】同じく、下枠部分の設置状態を示す拡大断面図である。
【図１３】同じく、下枠のジョイント部分の拡大平面図である。
【図１４】同じく、下枠のジョイント部分の拡大側面図である。
【図１５】同じく、下枠のジョイント部分の拡大分解図である。
【図１６】従来の単位間仕切りパネルの下枠の設置状態を示す断面図である。
【符号の説明】
１    竪枠
２    上枠
３    下枠
３Ａ  凹溝
４    横枠
５    ガラス障子
６    引戸
７    レール溝
８    レール枠
９    戸車
１０    レール材
１１    レール枠
１２    戸車
１３    レール材
１４、１１４    補強プレート
１１４Ａ    突片
１５    第１の固定具
１６    第２の固定具
１６Ａ    ボルト
１６Ｂ    ナット
１７    ジョイントプレート
１７Ａ    突片
１８    溶接用プレート
１８Ａ    突片
１９    第３の固定具
２０    コンクリート土台
２１    鉄筋
２２    床
Ｔ    通路開口部
Ｍ    窓開口部
【図１】
0004055286.tif 000002
【図２】
0004055286.tif 000003
【図３】
0004055286.tif 000004
【図４】
0004055286.tif 000005
【図５】
0004055286.tif 000006
【図６】
0004055286.tif 000007
【図７】
0004055286.tif 000008
【図８】
0004055286.tif 000009
【図９】
0004055286.tif 000010
【図１０】
0004055286.tif 000011
【図１１】
0004055286.tif 000012
【図１２】
0004055286.tif 000013
【図１３】
0004055286.tif 000014
【図１４】
0004055286.tif 000015
【図１５】
0004055286.tif 000016
【図１６】
0004055286.tif 000017